(57)【要約】本発明は、交換可能なモジュール組立体用のインターロック構造のビルディングブロックに関するものである。インターロック構造のビルディングブロックは、一つのメス型ブロック（１）と一組のオス型ブロック（２−５）で構成され、ここで、メス型ブロック（１）は矩形の窪み部（７）を有し、オス型ブロックはメス型ブロックの矩形窪み部（７）の内側に嵌められ、メス型ブロック（１）はその矩形窪み部（７）で二つのオス型ブロックと同時に嵌合され、オス型ブロック（２−５）は少なくとも二つのメス型ブロック（１）の内側に嵌められる。この方法により、各オス型ブロック（２−５）は、少なくとも二つのメス型ブロック（１）の矩形窪み部（７）の少なくとも半分を充填し、従って、前記二つのメス型ブロック（１）を固く結合することができる。一連のインターロック構造のビルディングブロックは、さらに、空いたスペースを埋めて組立体に真っ直ぐな縁を与える端子ブロック（６）と、組立体の高さ、幅または長さを延ばすための充填ブロック（１１）を含む。ブロックは積重ね可能で垂直に安定しているが、取り外しや取り扱いが簡単である。あらゆる種類の三次元構造物を構築するために、追加のツールや材料は必要がない。
2017524848.tif 000002
【特許請求の範囲】
【請求項１】
メス型ブロック（１）とオス型ブロック（２−５）の組を含む交換可能なモジュール組立体用のインターロック構造ビルディングブロックであって、前記メス型ブロック（１）は矩形窪み部（７）を有し、メス型ブロック（１）の前記矩形窪み部（７）において同時に２つのオス型ブロック（２−５）と嵌合され、かつ、オス型ブロックは少なくとも４つのメス型ブロックと同時に嵌合されるようにオス型ブロック（２−５）がメス型ブロック（１）の矩形窪み部（７）の内側に嵌合され、半中空の立方体で平らな底面と上半分に矩形窪み部（７）を持つ４つの側壁および上面の真ん中に矩形窪み部（７）を有する前記メス型ブロック（１）で特徴づけられるもので、前記切取部（７）は、立方体の辺の長さａの半分に等しい高さと、立方体の辺の長さａの３分の１に等しい奥行と幅を有し、その結果、前記立方体の空きスペースは２．６ｘ５／１８ａ３の体積を有し、各々のオス型ブロック（２−５）は、５／１８ａ３に比例する容積を有し、同時に少なくとも４つのメス型ブロック（１）の前記矩形窪み部（７）の少なくとも半分を充填し、それにより、ブロック間に加えられた力を均一に分散し前記少なくとも４つのメス型ブロック（１）を固定、安定的に結合することができる、インターロック構造ビルディングブロック。
【請求項２】
請求項１に記載の交換可能なモジュール組立体のためのインターロック構造ビルディングブロックであって、軸の少なくとも一辺に沿って対称になるように構成された一組のオス型ブロック（２−５）で特徴づけられるもので、各オス型ブロックはウェブ（９）により連結された矩形突出部（８）を少なくとも二つ持ち、前記矩形突出部（８）と前記ウェブ（９）はメス型ブロック（１）の矩形窪み部（７）の２倍の高さを持ち、一つのオス型ブロック（２−５）が少なくとも２つのメス型ブロック（１）の内側に嵌め合わされたときに、前記オス型ブロック（２−５）の矩形突出部（８）の高さの半分およびウェブ（９）の高さの半分が、前記少なくとも２つのメス型ブロック（１）の内側にあり、前記メス型ブロック（１）の上面の外側に対称部分が延び、前記対象部分がさらに別の少なくとも２つのメス型ブロック（１）の内部に嵌め合わせることができる、インターロック構造ビルディングブロック。
【請求項３】
請求項２に記載の交換可能なモジュール組立体のためのインターロック構造ビルディングブロックであって、異なる形状を有するオス型ブロックを含む前記オス型ブロック（２−５）の集まりで特徴づけられるもので、これら異なる形状は少なくとも４つのメス型ブロックとの接続を可能にし、各オス型ブロック（２−５）は、少なくとも４つの前記メス型ブロックの矩形窪み部（７）の内側に嵌められるような少なくとも２つの矩形突出部（８）を有し、前記突出部は２つの対向する正方形の面と、メス型ブロックの矩形窪み部（７）の幅の半分の幅を有する矩形の対向面を持ち、メス型ブロック（１）の内側に嵌められたとき、各矩形突出部（８）がメス型ブロック（１）の中央の矩形窪み部（７）の中空スペースの半分、及び前記メス型ブロック（１）の２つの対向する側壁内の前記矩形窪み部（７）の中空スペースの半分を充填する、インターロック構造ビルディングブロック。
【請求項４】
請求項３に記載の交換可能なモジュール組立体のためのインターロック構造ビルディングブロックであって、４つの異なるタイプの一組のオス型ブロック（２−５）を有し、各オス型ブロック（２−５）は２、３、または４つの矩形突出部（８）から成り、４、６、８、または１０個のメス型ブロックの内側に同時に嵌め合わせることができることで特徴づけられる、インターロック構造ビルディングブロック。
【請求項５】
請求項４に記載の交換可能なモジュール組立体のためのインターロック構造ビルディングブロックであって、ウェブ（９）によりＩ字形に連結された２つの対向する矩形突出部（８）で構成されるＩ字オス型ブロックで特徴付けられるのもので、前記ウェブ（９）は、線状に接続する部分であり、幅がメス型ブロック（１）の一辺の長さａの２／３であり、従って、前記Ｉ字ブロックの容量は２×５／１８ａ３に等しく、Ｉ字オス型ブロック（２）は、その同時に４つのメス型ブロック（１）の内側に嵌め合わされ、前記Ｉ字オス型ブロック（２）の各々の半分は、その対称線に沿って、２つの線状に配置されたメス型ブロック（１）の中空スペースの半分を同時に充填する、インターロック構造ビルディングブロック。
【請求項６】
請求項５に記載の交換可能なモジュール組立体のためのインターロック構造ビルディングブロックであって、矩形突出部（８）に対し垂直なウェブ（９）を有するＩ字オス型ブロック（２）で特徴づけられるもので、前記ウェブは前記矩形突出部（８）と同じ高さを有し、矩形突出部（８）の間を繋ぎ、その長さはメス型ブロックの辺の長さａの３分の２で、メス型ブロックの辺の長さａの３分の１の幅を有する、インターロック構造ビルディングブロック。
【請求項７】
請求項４に記載の交換可能なモジュール組立体のためのインターロック構造ビルディングブロックであって、互いに直角であり、かつウェブ（９）によって連結された４つの矩形突出部（８）からなる十字オス型ブロック（５）で特徴付けられるもので、前記ウェブは十字形であり各先端で矩形突出部（８）と接続され、矩形突出部（８）が２×２の形に対向しかつ平行であり、前記十字オス型ブロック（５）は６ｘ５／１８ａ３の容量を持ち、４つのメス型ブロック（１）が十字形状の中央に配置された第５のメス型ブロック（１）の異なる側壁に並置されているとき各メス型ブロックの内側に同時に嵌め合わせることができ、各十字オス型ブロック（５）の半分がその対称線に関して、前記４つのメス型ブロック（１）の中空スペースの半分と前記中央に配置されたメス型ブロック（１）の中空スペース全体を同時に充填する、インターロック構造ビルディングブロック。
【請求項８】
請求項４に記載の交換可能なモジュール組立体のためのインターロック構造ビルディングブロックであって、ウェブ（９）によって連結された３つの矩形突出部（８）からなるＴ字オス型ブロック（４）で特徴付けられるもので、前記ウェブは十字形でありその４つの先端のうち３つで矩形突出部（８）と接続され、前記矩形突出部の２つがＩ字形構成に設定され、１つが前記Ｉ字形に対して９０度であり、前記Ｔ字オス型ブロック（４）は５ｘ５／１８ａ３の容量を持ち、３つのメス型ブロック（１）がＴ字形状の中央に配置された第４のメス型ブロック（１）の異なる側壁に並置されているとき各メス型ブロックの内側に同時に嵌め合わせることができ、前記Ｔ字オス型ブロック（５）の各半分がその対称線に関して、前記３つのメス型ブロック（１）の中空スペースの半分と前記中央に配置された第４のメス型ブロック（１）の中空スペース全体を同時に充填する、インターロック構造ビルディングブロック。
【請求項９】
請求項４に記載の交換可能なモジュール組立体のためのインターロック構造ビルディングブロックであって、互いに直角でありかつウェブ（９）によって連結された２つの矩形突出部（８）からなるＬ字オス型ブロック（３）で特徴付けられるもので、前記ウェブは十字形であり、前記Ｌ字オス型ブロックは４ｘ５／１８ａ３の容量を持ち、２つのメス型ブロック（１）がＬ字形状の中央に配置された第３のメス型ブロック（１）の２つの側壁に並置されているとき各メス型ブロックの内側に同時に嵌め合わせることができ、前記Ｌ字オス型ブロック（５）の各半分がその対称線に関して、前記２つのメス型ブロック（１）の中空スペースの半分と前記中央に配置された第３のメス型ブロック（１）の中空スペース全体を同時に充填する、インターロック構造ビルディングブロック。
【請求項１０】
請求項１から請求項９に記載の交換可能なモジュール組立体のためのインターロック構造ビルディングブロックであって、メス型ブロック（１）の空きスペースを充填するための端子ブロック（６）をさらに備えたメス型及びオス型ブロックの組で特徴付けられるもので、前記端子ブロック（６）は垂直な終端部分（１０）と繋がった１つの矩形突出部（８）で構成され、前記終端部分（１０）と前記矩形突出部（８）を合わせた幅は前記メス型ブロック（１）の辺の長さａの半分に相当し、前記矩形突出部（８）または前記終端部分（１０）の高さは前記メス型ブロックの辺の長さａと等しく、各端子ブロック（６）はしたがって５／１８ａ３に等しい体積を有し、かつ、対面する２つのメス型ブロックの内側に同時に嵌合することができる、インターロック構造ビルディングブロック。
【請求項１１】
請求項１から請求項１０に記載の交換可能なモジュール組立体のためのインターロック構造ビルディングブロックであって、モジュラーシステムの高さ、幅または長さを延ばすための充填ブロック（１１）をさらに備えたメス型及びオス型ブロックの組で特徴付けられるもので、各充填ブロック（１１）は、前記メス型ブロック（１）をその底面に沿って反射させたもので、したがって、その頂部および底部に矩形窪み部（７）を有し、前記メス型ブロック２つ分の高さと５．２ｘ５／１８ａ３に等しい容量を有し、オス型ブロック（２−５）の前記矩形突出部（８）は、前記充填ブロック（１１）の両側の矩形窪み部（７）に嵌合することができ、一つのオス型ブロック（２−５）は少なくとも４つの充填ブロック（１１）の内側に嵌合させることができ、各オス型ブロック（２−５）は少なくとも２つの充填ブロック（１１）の前記矩形窪み部（７）を充填し、少なくとも前記２つの充填ブロック（１１）と固定的に接続される、インターロック構造ビルディングブロック。
【請求項１２】
請求項１から請求項１１に記載の交換可能なモジュール組立体のためのインターロック構造ビルディングブロックであって、前記ブロックが使用されるモジュラー構造の形式に適した材料、好ましくは小規模構造物用の軽量材料または大型構造物用の重量材料で作られているブロックを特徴とする、インターロック構造ビルディングブロック。
【請求項１３】
請求項１から請求項１２に記載の交換可能なモジュール組立体のためのインターロック構造ビルディングブロックであって、ブロックが積み重ねられ、垂直に安定しているが、取扱いが容易であり分解が容易な軽量材料、好ましくはコルクをベースとした材料、より好ましくは圧縮コルク、より好ましくは圧縮コルクでブロック重量が１００ｋｇ／ｍ３〜２００ｋｇ／ｍ３のもので作られていることを特徴とする、インターロック構造ビルディングブロック。
【請求項１４】
請求項１２に記載の交換可能なモジュール組立体のためのインターロック構造のビルディングブロックであって、セメント、コンクリート、粘土または他の圧縮材料のような大規模構造に適した建築材料で作られていることを特徴とする、インターロック構造ビルディングブロック。
【請求項１５】
請求項１から請求項１４に記載の交換可能なモジュール組立体のためのインターロック構造ビルディングブロックであって、小規模または大規模用途のいずれかのブロックが使用されるモジュラー構造の形式に従った大きさのブロック、好ましくは全ての辺が８０ｍｍ〜７００ｍｍの範囲内の、より好ましくはすべての辺が１９０ｍｍ〜７００ｍｍの範囲内の立方体のメス型ブロック（１）で構成されるブロックで特徴付けられる、インターロック構造ビルディングブロック。
【請求項１６】
請求項１から請求項１５に記載のインターロック構造のビルディングブロックを内壁、床、家具、外壁、屋外用家具または屋外用建造物のような交換可能なモジュール組立体へ使用する、インターロック構造ビルディングブロック。
【請求項１７】
請求項１から請求項１５に記載の交換可能なモジュール組立体のためのインターロック構造のビルディングブロックであって、モジュール組立体を容易に移動または再配置されることを可能にするように、さらに車輪を有することを特徴とする、インターロック構造ビルディングブロック。
【請求項１８】
請求項１から請求項１７に記載の交換可能なモジュール組立体を構築する方法であって、請求項１から請求項１５に定義されたビルディングブロックの組み合わせを特徴とし、
ａ）少なくとも１つのメス型ブロック（１）を基本構成単位として使用すること
ｂ）少なくとも１つのオス型ブロック（２−５）を、メス型ブロックを線形、Ｌ字形、Ｔ字形、または十字形の配列で相互接続するために使用すること
ｃ）モジュラーパネルの幅、長さまたは高さを増加させるために、少なくとも１つの充填ブロック（１１）をオス型ブロック間で使用すること
ｄ）モジュール組立体の望みの長さ、幅および高さが達成されるまで、メス型ブロック、オス型ブロックおよび充填ブロックを相互接続すること
ｅ）少なくとも１つのメス型ブロック（１）に嵌合し、組立体の端部の空きスペースを充填して直線縁部を形成するために、少なくとも１つの端子ブロック（６）を使用すること
ｆ）前記メス型ブロック（１）、前記オス型ブロック（２−５）、前記充填ブロック（１１）および前記端子ブロック（６）を異なった組み合わせにすることにより、任意形式の三次元モジュール組立体を得ること
を特徴とする方法。
【請求項１９】
請求項１８に記載の交換可能なモジュール組立体を構築する方法であって、前記モジュール組立体を分解し、同じ組のビルディングブロックを使用して異なる構成で再組立てを行うことができる方法。
【発明の詳細な説明】
【技術分野】
【０００１】  本発明は建築材料の分野に関し、特に、積み重ねることができ自立可能なブロック又は煉瓦に関するもので、交換可能なモジュール組立体、特に内壁や隔壁、床および家具を構築するためのものである。
【背景技術】
【０００２】  取扱いが容易で、多用途に再利用可能で、新たに登場しつつある「ドゥ・イット・ユアセルフ」の動向に適した材料への需要が高まりつつある。十分な強度と耐久性を備え、構造物を迅速かつ容易に組み立てることを可能にするモジュラー構造のシステムには高い需要がある。壁または家具を構築するための、いくつかのモジュラー式のシステムが考案されているが、モジュラー構造の安定性を保証するインターロック構造のシステムと組み合わされた、容易に交換可能なモジュール組立てを可能にするような既存の技術は存在しない。【０００３】  特許ＵＳ４４７３９８５号（特許文献１）は、内壁および外壁を有し、その間に空洞を持つビルディングブロックに関するものである。上部の壁はそれぞれ、内側部分に沿って延びる長手方向の突出部を有し、下方の水平チャネルに位置することによってブロックを配置する。このブロックは、必要に応じてブロックを反転させることができるように、２つの端部を有し、その両方がメス型凹部またはオス型突起である。建築物は、複数のダブル・オス型ブロックとダブル・メス型ブロックを使用し、それらを互いに連結することによって形成される。オス−メス結合は確立されるが、本発明のビルディングブロックのように、隣接するブロックを垂直方向および水平方向の両方に同時に連結することはできない。【０００４】  特許ＵＳ２００７０９４９８９号（特許文献２）は、インターロック構造のモジュール式ブロックの改良されたシステムについて記載しており、このシステムは、矩形ブロックの上部中央に長辺に沿った長い突起部を有し、横断面が台形で上端が次第に細くなる頂上部と、下端中央に長辺に沿って縦長の台形スロットを有する細長い矩形ブロック本体で構成される、標準インターロック構造のモジュラーブロックを持ち、台形スロットは下縁に向かって幅広くなり、別の標準インターロックブロックの細長い突起と対になり標準インターロックブロックを積み重ねて連結することができ、上部突起は台形スロットの深さよりも短く、細長い突起の頂部と台形スロットの内面上部は、導管や配線用の通路を形成する。このシステムは、また、標準インターロックブロックのうちの少なくとも１つと嵌合する、Ｔ字形またはＬ字形の一連のインターロックブロックを備え、その一連のインターロックブロックの各々は、標準インターロックブロックと同一の大きさの矩形ブロック本体と、それと連動する標準インターロックブロックの上部の細長い突起の少なくとも一部と嵌合するための底縁中心の少なくとも一部に沿った同様のサイズの台形スロットとを含む。オス−メス結合が確立され、Ｔ字型およびＬ字型の部品は異なる空間構成を可能にするが、本発明の構成要素のように垂直と水平の両方向の４つの異なる方向に対し異なるオス型ブロックをメス型ブロックと連結することができるようには、隣接するブロックを水平および垂直の両方向に対し同時に連結することができない。従って、本発明のビルディングシステムと異なり、構築された構造物の密着性および安定性はすべての軸に対して保証され得ない。【０００５】  特許ＷＯ９７０８４０２号（特許文献３）は、モジュール式のシステムにおいて、様々なサイズ、組合せによる���築物で自立型モジュールを得るための構造要素の集合に関するものである。この集合は、調整された多面体の形で構成され、例えば、コーナーおよびフィールドポールの形成に有効な立方体、前記立方体要素から得られ、煉瓦の役割を果たす多機能のオス−メス結合要素、そして、窓およびドア枠の煉瓦積みの中で固定するためのプラグの付いたリンテルを含む。これら３つの建物パーツは、表面の迷路のルートに従って指示、結合、挿入、および接着の手段を提示する。ビルディングブロックは相互接続することが可能だが、それらは自己支持型ではなく、本発明のシステムのようにそれ自体ではインターロックすることはできない。建築物の構造の安定性および補強には、固定するための手段（ビルディングブロックを貫通する垂直および水平方向の棒）が必要で、コルクベースの材料のような軽量で取扱いが容易な材料で作られたビルディングブロックの再利用とは両立せず、また、構造物の構築をより困難にし、時間も掛かるものである。【０００６】  特許ＵＳ２００３０２９１１９号（特許文献４）は、例えば、造園壁に使用されるモジュラー構造のブロックシステムで、ブロックの外側シリンダを取り囲むように上壁に隣接して配置された隆起リブと、ブロックの上壁に形成された開口部とを有するものに関するものである。相互接続および積重ね可能なブロックの端部および側壁は上壁に接続され、内側シリンダを受け入れるための見えない穴を形作る。上壁に隣接して置かれた外側シリンダは、ブロックが結合された場合に内側シリンダと嵌合する。開口部は上壁に形成され、隆起リブは上壁に隣接して配置されて外側シリンダを取り囲む。このシステムは、１つのブロックの隆起リブが、結合されたときに他のブロックと接するため、直立した構造の安定性を向上さている。それは、軽量コンポーネントを使用して壁の強度特性を強化しており、壁構造の簡単で迅速な構築を可能にする。しかしながら、このシステムは垂直方向の抵抗をある程度保証するものの、内側シリンダと外側シリンダの嵌合に依存し、その容量は積重ねられたブロックの容積よりもかなり小さいため、高さが高くなるにつれて垂直性を失う傾向を防止するものではない。【０００７】  特許ＷＯ２００８１３２６６７号（特許文献５）は、内部の空洞を画定する２つの対向する面を持つ長方形の矩形形状の統一されたブロック本体を有し、照明壁を構築するための可逆で自立型のモジュールに関するものである。自立型モジュールは、照明壁を構築するために使用され、また、カウンター壁、タンク壁、隔壁などの壁の上部仕上げを行うために使用することもできる。参照突起により、容易に正確な位置決めが可能で、また水平応力に対する耐性を保証するので、構築に必要な時間を短縮する。しかし、システムはモジュールの相互接続に起因する水平応力およびある程度の垂直抵抗に対する耐性を保証しているが、積み重ねられたブロックの体積よりもかなり小さい突起の嵌合に依存するため、高さが増すにつれ垂直性を失う傾向を妨げえない。【０００８】  特許ＷＯ９６０９８７０号（特許文献６）は、容易に分離可能な、積み重ね可能なブロックの玩具システムに関し、それは積み重ねられたブロックに隙間を与え、握りやすく���るための周縁を提供するスペーサを下側に有している。各々の積み重ねブロックは、上側に結合ノブを持つ本体部分を有している。ノブは、相互に均等なモジュール距離で離されている。各々の積重ねブロック本体の底部は、別のブロックのノブと結合される相補的な結合要素を有する。各積み重ねブロックの底部領域には１つ以上のスペーサを有している。スペーサは、２つの積み重ねブロックが互いに積み重ねられたときに、ブロック本体部分の全周に沿って、それらの間を空けるように構成される。このモジュール式玩具システムのブロックは、特に２歳または３歳未満の子供でも簡単に分離することが可能である。このシステムは軽量で使いやすいものだが、高さを高くした場合、垂直方向の安定性を保証するものではない。【０００９】  特許ＷＯ２０１２１５３３２８号（特許文献７）は、モルタルフリー建築のためのビルディングブロックに関するものである。この発明は、モルタル、内部柱、または、内部または外部の追加仕上げを必要としない建築に対し、ビルディングブロックを使用するための工夫および方法を開示している。ビルディングブロックは、ブロックを上から下へ、また左右に取り付けるための接合要素を含む。さらに、ブロックは内部および外部仕上げが終了している。したがって、構造物の構築後に最終構造の外壁および内壁を、塗装したり壁紙を掛けたり、または他の方法で処理する追加作業の必要性がない。しかしながら、ロッキングシステムは高さが高くなると垂直方向の安定性を保証しない。【００１０】  特許ＤＥ３１０６６７６号（特許文献８）は、様々な間隔への適応を容易にするインターロック形状の部品を有する屋根または建物壁面の断熱パネルに関するものである。断熱材で作られた任意の厚さの絶縁パネルは、屋根や外壁面の断熱を可能にする。互いの間に挿入するために、または歯付きインターロッキングのために、２つまたは好ましくは３つの成形片が形成される。パネルは、下面に構造化されたシートメタル片を有することができ、それは取り付ける際にも役立つ。これにより、垂木や壁面支持の構造部の間の様々な間隔に容易に適応することができ、関連する困難で埃の多い天井作業を排除することができる。このモジュラーパネルはインターロック形状の部品を備えているが、それ自体では垂直に安定ではなく、提供される部品は交換可能なモジュール組立体で再使用するためのものではない。また、成形片がそれ自体で垂直安定性を可能にするような厚さで提供されたとしても、限られた数の部品の接続およびそれらの構造は、幅が狭く、また断熱器具に適合する断熱パネルのような平面構造を構築することを可能とするが、壁または隔壁全体や本発明のブロックのような家具には適していない。さらに、提供された歯付きインターロック部品は、１つのオス型部品の歯のみを受け入れるが、本発明のように隣接するメス型部品間のインターロックは存在しない。【００１１】  特許ＥＳ２０６３５９９号（特許文献９）は、耐震ショックに対し高い耐性を持つモジュール式建築システムに関するものである。このシステムは、直角プリズム形状の一連のモジュールの相互接続に基づくもので、異なるモジュールを相互接続し一緒に固定するために、モジュ���ルの一方の面は突起を有し他方の面が補完的な凹部を有し、組立体はお互いの相互接続を達成するために、互いに位相のずれたモジュールを重ね合わせた列で構成され、突起と同様な凹部を持つコーナーモジュールもあり、２つの床を分離する床構造を形成するプレートもあり、ドアおよび窓のための開口部の上部またはリンテルを形成するためのモジュールもある。様々なモジュールの相互接続は、それらを非同期に配置し重ね合わせることによってなされるが、部品または要素を接合する必要がなく、建物の迅速な組立および分解を可能にし、モジュールを別の構造に使用することが可能である。このモジュラーシステムはインターロック形状の部品を有しているが、提供される部品は交換可能なモジュール組立体で再使用することを意図したものではなく、密着度を高め構造を保護するための固定具の適用を必要とするような通常の建築用レンガの代わりの建築用のものである。また、ＥＳ２０６３５９９におけるビルディングブロックは、異なるオス型ブロックが４つの異なる垂直方向に沿ったインターロックを可能にする本発明とは異なり、水平方向にのみブロック化される。さらに、本発明によれば、モジュール組立体の安定性は、基本となるメス型ブロックの各々が２つの異なるオス型ブロックとロックされ、ブロックのインターロックが強化されるという事実に依存するが、ＥＳ２０６３５９９では、いくつかの補完的なブロックにおいてのみ、同じ二重ロック接続が存在する。最後に、ＥＳ２０６３５９９における基本ブロックの細長い形状は、本発明のメス型の基本ブロックとは異なり、それを耐久性あるものにするためには強い材料を必要とし、中央で簡単に折れやすい軽量材料には適合しない。
【先行技術文献】
【特許文献】
【００１２】
【特許文献１】米国特許第４４７３９８５号明細書
【特許文献２】米国特許出願公開第２００７／０９４９８９号明細書
【特許文献３】国際公開第９７／０８４０２号パンフレット
【特許文献４】米国特許出願公開第２００３／０２９１１９号明細書
【特許文献５】国際公開第２００８／１３２６６７号パンフレット
【特許文献６】国際公開第９６／０９８７０号パンフレット
【特許文献７】国際公開２０１２１５３３２８号パンフレット
【特許文献８】独国特許発明第３１０６６７６号明細書
【特許文献９】西国特許第２０６３５９９号明細書
【発明の概要】
【００１３】  本発明は、交換可能なモジュール式組立体、すなわち内壁、床、家具または玩具のためのインターロック構造のビルディングブロックに関し、交換することにより再利用可能な多様なモジュール式組立体を構築することができるものである。しかしながら、外壁、屋外用家具または屋外用建造物のようなさらなる用途も予想される。
【００１４】  これらの建設的な解決策は、新しい設計を生み出すために交換することができる。特別な工具や接着剤を使用せずに、組立てと分解の全プロセスを手動で行うことが可能である。
【００１５】  本システムは、柔軟な、インターロック構造のビルディングブロックで構成される。ねじ、釘、工具、または接着剤を必要とせずに、簡単に取り付けや取り外しができ、それぞれ独自の幾何学的形状を持ち、リサイクル可能で再利用可能な７つの個別部品で構成され、それらの様々な組合せで異なった建築物や家具を構築することができる。ある決められた形態（例えば、ベッド）の構造物も容易に解体することができ、同じ部品を異なるタイプの構造（例えば、棚）に異なる組合せで取り付けることも可能である。
【００１６】  本発明のインターロック構造のブロックは、メス型ブロック（１）と一組のオス型ブロック（２−５）から構成される。ここで、メス型ブロック（１）は矩形窪み部（７）を有し、オス型ブロック（２−５）がメス型ブロック（１）のこの矩形窪み部（７）の内部に納められ、その際、一つのメス型ブロック（１）は、その矩形のくぼみ（７）で同時に２つのオス型ブロックと結合され、一つのオス型ブロック（２−５）は、同時に少なくとも２つのメス型ブロック（１）の内側で結合される。このようにして、各オス型ブロック（２−５）は、同時に少なくとも２つのメス型ブロック（１）の矩形窪み部（７）の少なくとも半分を充填することになり、したがって、前記少なくとも２つのメス型ブロック（１）を固定的に接続することができる。
【００１７】  インターロック構造のビルディングブロックには、更に、空きスペースを充填して組立体に真っ直ぐな縁を与える端子ブロック（６）と、組立体の幅または長さを延ばすための充填ブロック（１１）が含まれる。
【００１８】  メス型ブロックは半中空の立方体で構成され、平らな底面、上半分に矩形の窪み（７）を有する４つの側壁、および上面の中心にある矩形の窪み（７）を有する。メス型ブロックの窪み（７）は、立方体の高さの半分に等しい深さと、立方体の幅の１／３に等しい幅を有する。
【００１９】オス型ブロック（２−５）は、異なる形状を持つオス型ブロックから成り、これらの異なる形状により、少なくとも２つのメス型ブロックとの接続を可能にする。各オス型ブロック（２−５）は、同時に少なくとも２つのメス型ブロック（１）の中空スペースの半分を充填する。オス型ブロック（２−５）は、２つの矩形突出部がＩ字型になるもの、二つの矩形突出部が直角になるもの、３つの矩形突出部を持ちうち２つがＩ字型で、残り一つがＩ字に対し９０度で交わるもの、そして、４つの矩形突出部がお互いに直角を構成するもののいずれかである。充填ブロック（１１）は、その底面に沿ってメス型ブロック（１）を反射させたものであり、したがってその上部および底部に矩形の窪みを有し、２つのメス型ブロック分の高さを有する。端子ブロック（６）は、モジュール内の空きスペースを充填するために使用されるもので、Ｉ字オス型ブロックの半分で構成され、したがって１つの矩形突出部のみを有する。
【００２０】  メス型ブロック（１）、オス型ブロック（２−５）、充填ブロック（１１）および端子ブロック（６）を組み合わせることによって、任意のタイプの三次元モジュール組立体を得ることができる。モジュール組立体は、分解し、また同じビルディングブロックを使い、異なる形状に再び組立てることができる。さらに、ブロックに車輪を追加することによって、組立体を容易に移動または再配置することも可能である。
【００２１】  ビルディングブロックは、好ましくは、機械的負荷に対し良好な耐性を有する軽量材料、好ましくはブロックを積重ね、垂直方向に安定で、かつ元へ戻せて取扱いが容易なコルクをベースとした材料で作られる。さらに、好ましくは、コルクまたはコルクをベースした材料のような、天然の長持ちする１００％リサイクル可能な原材料を使用し、完全に多様な方法で組合せることが可能な一組のビルディングブロックを使用することで、インテリア建築や家具のデザインに対し、単純で柔軟、持続可能で取扱いが容易な建築物の代替案が提供される。
【図面の簡単な説明】
【００２２】
【図１】メス型ブロックの立体図。
【図２】一連のオス型ブロックの立体図。
【図２ａ】Ｉ字に連結された２つの矩形突出部（８）を有するＩ字オス型ブロック（２）を示す図。
【図２ｂ】ウェブ（９）によって連結された、互いに直交する４つの矩形突出部（８）からなる十字形状のオス型ブロック（５）の図。ここで前記ウェブは十字型の形状であり、その先端で各矩形突出部と接続されている。
【図２ｃ】ウェブ（９）によって連結された３つの矩形突出部（８）からなるＴ字オス型ブロック（４）の図。ここで前記ウェブは十字形状だが、４つの先端のうちの３つで矩形突出部（８）と接続されている。矩形突出部の２つはＩ字に構成され、残りの１つはＩ字に対して９０度になるよう構成されている。
【図２ｄ】互いに直角であり、かつウェブ（９）によって連結された２つの矩形突出部（８）からなるＬ字オス型ブロック（３）を示す図。ここで、前記ウェブは十字型の形状である。
【図３】垂直の終端部分（１０）に連結された矩形突出部（８）からなる端子ブロック（６）の立体図を示しており、メス型ブロック（１）の空きスペースを埋めることにより直線状の縁を形成することが可能。
【図４】充填ブロック（１１）の立体図を示し、各充填ブロックは、メス型ブロック（１）を底面に沿って反射したものであり、したがって、その上部および下部に矩形の窪みを有し、メス型ブロックの２倍の高さを有する。
【図５】組立て方法を表す図。
【図５ａ】線状にメス型ブロック（１）を並置した図。
【図５ｂ】線状に整列されたメス型ブロックを、Ｉ字オス型ブロック（２）を嵌合し、連結する場合の図。
【図５ｃ】線状に整列されたメス型ブロックと連結されたＩ字オス型ブロックへの端子ブロック（６）の嵌合を表す図。
【図５ｄ】線状に整列したメス型ブロック（１）とＩ字オス型ブロック（２）において、モジュールを高さ方向に伸ばし壁構造を形成するために、充填ブロック（１１）を取付け連結する図。
【図５ｅ】線状に並んだ充填ブロック（１１）の上部に、メス型ブロック（１）を線状に配置し、組立てを完成し壁構造を作り出す図。ここで、メス型ブロック（１）の矩形窪み部（７）は、矩形突出部（８）を受け入れる。
【図６】Ｌ字オス型ブロック（３）、Ｔ字オス型ブロック（４）、および十字オス型ブロック（５）とメス型ブロック（１）の様々な組立方法を示しており、それにより、Ｌ字、Ｔ字、または十字形状の構成が可能である。
【図６ａ】２つのメス型ブロックの矩形窪み部（７）の内側にＬ字オス型ブロック（７）を嵌合し連結する図を示す。ここで、前記２つのメス型ブロックの各々の側壁が、Ｌ字を構成するように置かれた第３の、真ん中に配置されたメス型ブロック（１）の２つの垂直な側壁に接している。
【図６ｂ】３つのメス型ブロック（１）の矩形窪み部（７）の内側にＴ字オス型ブロック（４）を嵌合し連結する場合の図。ここで、前記３つのメス型ブロックはＴ字に配置され、それぞれの側壁が中央に置かれたメス型ブロック（１）の側壁に接している。
【図６ｃ】４つのメス型ブロックの矩形窪み部（７）の内側に十字オス型ブロック（５）を嵌合し連結する場合の図。ここで、前記４つのメス型ブロック（１）は十字に配置され、その各々の側壁が、中央に配置されたメス型ブロック（１）の側壁に接している。
【図７】本発明における各ブロックの正投影図を、異なるブロック間の大きさの比率と共に示す。メス型ブロックの立法面のサイズ（ａ）は、８０〜７００ｍｍの間で変化し得る。
【図７ａ】メス型ブロックの正投影図。
【図７ｂ】Ｉ字オス型ブロックの正投影図。
【図７ｃ】十字オス型ブロックの正投影図。
【図７ｄ】Ｔ字オス型ブロックの正投影図。
【図７ｅ】Ｌ字オス型ブロックの正投影図。
【図７ｆ】充填ブロックの正投影図。
【図７ｇ】端子ブロックの正投影図。
【発明の詳細な説明】
【００２３】  本発明による交換可能なモジュール組立体のためのインターロック構造ブロックのさらなる特徴および利点は、添付図面を参照し、非限定的な例として示されたいくつかの実施形態の以下の説明からより明らかであろう。
【００２４】  上図並びに各図に記載された特徴に基づき、交換可能なモジュール組立体のためのインターロック構造のビルディングブロックが、図１〜４に示されている。インターロック構造のビルディングブロックのセットは、メス型ブロック（１）と一組のオス型ブロック（２−５）を有し、メス型ブロック（１）は矩形窪み部（７）を持ち、オス型ブロック（２−５）がメス型ブロックの矩形窪み部（７）の内側に嵌め合わされ、メス型ブロック（７）は同時に２つのオス型ブロック（２−５）と繋がり、オス型ブロック（２−５）は同時に少なくとも２つのメス型ブロック（１）の内部に嵌め合わされる。このようにして、各オス型ブロック（２−５）は、少なくとも２つのメス型ブロック（１）の矩形窪み部（７）の少なくとも半分を充填し、少なくとも前記２つのメス型ブロック（１）と固定的に接続される。
【００２５】  好ましい実施形態では、メス型ブロックとオス型ブロックのセットは、さらに、モジュール内の空きスペースを充填するために使用される端子ブロック（６）と、システムの高さ、幅または長さを延ばすための充填ブロック（１１）を備える。
【００２６】  メス型ブロック（１）は、底部および４つの側壁を有する半中空の立方体のブロックであり、４つの側壁のそれぞれに矩形窪み部（７）を有し、立方体の中央に１つの矩形窪み部（７）を有し、各窪みは、立方体の壁の高さの半分の深さと、立方体の側壁の幅の１／３の幅を有する。好ましい実施形態では、立方体のメス型ブロックは、各辺の長さが８０〜７００ｍｍ、より好ましくは、１９０ｍｍ〜７００ｍｍの間である。
【００２７】  オス型ブロック（２−５）は、それらの軸の少なくとも１つに沿って対称的に構成されている。各オス型ブロックは、ウェブ（９）によって連結された少なくとも２つの矩形突出部（８）を有し、前記矩形突出部（８）および前記ウェブ（９）はメス型ブロック（１）の窪み（７）の２倍の高さを有し、オス型ブロック（２−５）が少なくとも２つのメス型ブロック（１）の内側に嵌合されたとき、前記オス型ブロック（２−５）の矩形突出部（８）の半分の高さおよびウェブ（９）の半分の高さが少なくとも２つのメス型ブロック（１）の内側にあり、対称部分がメス型ブロック（１）の上面の外側に延びている。これにより、メス型ブロックの上面の外側に延びる対称部分を、第２の組となるメス型ブロックの内側に取付けることが可能となる。
【００２８】  オス型ブロック（２−５）は、異なる立体構造を持つオス型ブロックから成り、その異なる立体構造は、少なくとも２つのメス型ブロックとの接続が可能である。各オス型ブロックは、メス型ブロックの矩形窪み部（７）に嵌められる矩形突出部（８）を少なくとも２つ持ち、その矩形突出部はメス型ブロックと同じ高さを有する正方形を両面に持ち、正方形の面はメス型ブロックと高さが同じで、メス型ブロック（１）の矩形窪み部（７）の半分の幅を持つ。この相互補完機能および大きさにより、メス型ブロックの矩形窪み部（７）の内側に嵌合されたとき、各々の矩形突出部（８）は、メス型ブロック（１）の中心にある矩形窪み部（７）の中空の半分と、メス型ブロック（１）の２つの対向する側壁内の矩形窪みの中空の半分とを占める。
【００２９】  好ましい実施形態では、オス型ブロックの組は、４つの異なるタイプのオス型ブロックを含み、各オス型ブロックは、図５および図６に示すように同時に２つ、３つ、４つまたは５つのメス型ブロック（１）の内部と繋がる矩形突出部（８）を、２つ（図２ａおよび２ｄ）、３つ（図２ｃ）または４つ（図２ｂ）持つ。
【００３０】  より好ましい実施形態では、一つのオス型ブロックは、図２ａに示すものと同様に、２つの対向する矩形の突出部（８）がウェブ（９）によってＩ字型に連結されたＩ字型の構成（２）を有する。ウェブ（９）は、幅がメス型ブロック（１）の幅の２／３に等しい線状の接続部である。従って、Ｉ字オス型ブロック（２）は、２つのメス型ブロック（１）の内側に同時に収めることができるので、Ｉ字オス型ブロック（２）の各半分は、図５に示すように、並んだ二つのメス型ブロック（１）の中空スペースの半分を占めることになる。このＩ字オス型ブロック（２）は、ウェブ（９）を有しているが、ウェブは矩形突出部（８）に垂直で、矩形突出部（８）と同じ高さで、メス型側壁の幅の２／３の長さで矩形突出部（８）の間を繋ぎ、メス型側壁の幅の３分の１の幅を有している。
【００３１】  別のより好ましい実施形態では、一つのオス型ブロックは、図２ｂに記載されたものと同様に、十字形状の構成を有する。この十字形のオス型ブロック（５）は、互いに直角の４つの矩形突出部（８）からなり、ウェブ（９）によって連結されている。この十字形状の構成では、ウェブは十字形であり、矩形突出部（８）が対向して平行に２×２になるように、その各アームの先で矩形突出部（８）に接続されている。この構成によれば、前記十字オス型ブロック（５）の矩形突出部（８）が５つのメス型ブロックの矩形窪み部（７）の内部に同時に取付けられるので、４つのメス型ブロック（１）を十字形に、中心に置いた第５のメス型ブロック（１）の異なる側壁にそれぞれ接するように置いた場合、図６ｃに示したように、前記矩形突出部（８）と前記ウェブ（９）は、これら４つのメス型ブロック（１）の中空スペースの半分を同時に充填し、中央に配置された第５のメス型ブロックの中空スペースの全体を充填する。
【００３２】  別のより好ましい実施形態では、図２ｃに記載されたものと同様に、Ｔ字オス型ブロック（４）は、ウェブ（９）によって連結された３つの矩形突出部（８）からなる。この構成では、ウェブは十字形であり、４つのうち３つの端部で矩形突出部（８）に接続され、うち２つの矩形突出部がＩ字形状となり、残りの１つが前記Ｉ字に９０度で配置され、Ｔ字のオス型ブロック（４）を構成する。Ｔ字オス型ブロック（４）は、３つのメス型ブロック（１）がＴ字形の中央に配置された第４のメス型ブロック（１）の異なる側壁に接して並べられたとき、同時に４つのメス型ブロックの内側に嵌めることが可能で、前記矩形突出部（８）と前記ウェブ（９）は、前記３つのメス型ブロック（１）の中空スペースの半分と、前記中心に配置された第４のメス型ブロック（１）の中空スペース全体を同時に満たすことになる。
【００３３】  さらに別のより好ましい実施形態では、図２ｄに記載されたものと同様に、Ｌ字オス型ブロック（３）は、直角にウェブ（９）によって連結された２つの矩形突出部（８）で構成され、前記ウェブは十字形である。従って、Ｌ字オス型ブロック（３）は、３つのメス型ブロック（１）の内部に同時に嵌めることができ、２つのメス型ブロック（１）をＬ字形の第３の中央に配置されたメス型ブロック（１）の２つの垂直な側壁に接して並べると、前記矩形突出部（８）と前記ウェブ（９）が、前記２つのメス型ブロック（１）の中空スペースの半分と、前記中心に配置されたメス型ブロック（１）の中空スペース全体を同時に満たすことになる。
【００３４】  好ましい実施形態では、メス型ブロックとオス型ブロックの組は、メス型ブロック（１）の空きスペースを充填するための端子ブロック（６）を含むことができる。この端子ブロックは、垂直な終端部分（１０）に連結された矩形突出部（８）で構成され、Ｉ字オス型ブロックの半分に相当する。また、ここで、前記終端部分（１０）と前記矩形突出部（８）とを合わせた幅は、メス型ブロック側壁の幅の半分に対応し、前記矩形突出部（８）または前記終端部分（１０）の高さはメス型ブロック（１）の側壁の高さに等しく、各端子ブロック（６）はメス型ブロックの中空スペースの半分を充填し、前記メス型ブロック（１）の上面の外側に延びる部分は、互いに対向する面を有する前記２つのメス型ブロック（１）の第２のメス型ブロック（１）の中空スペースの半分を充填することができる。端子ブロック（６）は、空きスペースを充填するために使用され、モジュール構造を仕上げることができる。
【００３５】  別の好ましい実施形態では、メス型ブロックとオス型ブロックの組は、図５ｄ−ｅに例示されるように、モジュラーシステムの高さ、幅または長さを延ばすための充填ブロック（１１）をさらに備えることができる。各充填ブロック（１１）は、メス型ブロック（１）をその底面に沿って反射させたものであり、したがってその上部および底部に矩形窪み部（７）を有する。充填ブロック（１１）の高さは、２つのメス型ブロックに等しい。したがって、オス型ブロック（２−５）の矩形突出部（８）は、充填ブロック（１１）の両端の矩形窪み部（７）に嵌合させることができ、一つのオス型ブロック（２−５）は、少なくとも２つの充填ブロック（１１）の内部に嵌められ、各オス型ブロック（２−５）は少なくとも２つの充填ブロックの矩形窪み部（７）の少なくとも半分を充填し、それにより、少なくとも２つの充填ブロック（１）を固定的に接続することが可能である。
【００３６】  本発明のビルディングブロックの組は、ブロックが使用されるモジュラー構造形態に適した材料で作られている。好ましい実施形態では、ブロックは、機械的荷重に対する良好な耐性を有する軽量素材で作られており、ブロックを積み重ね、垂直方向に安定的であると同時に、取扱いおよび分解が容易であり、好ましくはコルクをベースとした材料、さらに好ましくは１００ｋｇ／ｍ３〜２００ｋｇ／ｍ３の重さの圧縮コルクを使用し、したがって、ブロックは家屋の建築および装飾、特に内壁や家具に適したものである。機械的荷重に対する良好な耐性を有する軽量材料は、ブロックを積み重ね、垂直方向に安定させ、元に戻すこともでき、取扱いも容易である。
【００３７】  別の好ましい実施形態では、ブロックをセメント、コンクリート、粘土または他のプレス材料のような大規模構造に適した建築材料で作り、大規模な屋外建築物に適したものにすることも可能である。
【００３８】  ブロックは、モジュール構造となるようサイズが決められ、小規模および大規模用途のいずれにも使用される。好ましい実施形態では、メス型ブロック（１）は、立法体の各辺が８０ｍｍと７００ｍｍの間、より好ましくは、１９０ｍｍと７００ｍｍの間の大きさである。
【００３９】  さらに、本発明のブロックは、モジュール組立体が容易に移動または再配置できるよう車輪を有してもよい。
【００４０】  本発明は、また、ビルディングブロックの組合せにより、垂直方向に安定的な、交換可能なモジュール組立体を構築する方法にも関している。それは、少なくとも１つのメス型ブロック（１）が構成ユニットの基礎として使用され、少なくとも１つのオス型ブロック（２−５）が、メス型ブロックを線形、Ｌ字形、Ｔ字形、または十字形の配置で相互接続するために使用され、モジュラーパネルの幅、長さまたは高さを増加させるために少なくとも１つの充填ブロック（１１）がオス型ブロック間で使用され、メス型ブロック、オス型ブロックおよび充填ブロックが、望みの長さ、幅および高さを持つモジュール組立体が達成されるまで任意の向きで相互接続され、少なくとも１つの端子ブロック（６）が少なくとも１つのメス型ブロック（１）に取付けられ、組立体の端部の空きスペースを充填して直線縁部を形成し、メス型ブロック（１）、オス型ブロック（２−５）、充填ブロック（１１）および端子ブロック（６）を様々に組み合わせることにより、任意の三次元モジュラー組立体を得ることができる。この方法により同じ一組のビルディングブロックを使用して、異なる構成の任意の構造を分解および再組み立てすることが可能である。
【００４１】  本発明のブロックは、完全な内面仕上げおよび外面仕上げを有する。したがって、構造物を構築した後に、最終構造物の外壁および内壁の隙間を埋めることや、塗装すること、壁紙を貼ること、または安定に保つために必要な内壁および外壁の処理は必要がない。
【００４２】  これまでに壁や家具を建造するためのいくつかのモジュラーシステムが考案されているが、既存のモジュールは、構造の安定性を保証し高さが増しても垂直を維持することが可能なインターロック構造のシステムと組み合わされた、簡単に変更可能なモジュール組立体を作ることはできない。本発明のインターロック機構の強度は、メス型ブロック（１）および充填ブロック（１１）の半中空の立方体構造、および、立方体の高さの半分の深さと立方体の側壁の幅の１／３の幅を有する矩形窪み部（７）に依存し、建築物システムのオス‐メス結合特性に影響される。メス型ブロック（１）はその矩形窪み部（７）に２つのオス型ブロック（２−５）を同時に嵌め込むことができるので、オス型ブロックのサイズは、それらが少なくとも２つのメス型ブロック（１）の内側に嵌め込まれた時、このオス型ブロック（２−５）の矩形突出部（８）の高さの半分とウェブ（９）の高さの半分が、少なくとも２つのメス型ブロック（１）の内側にあり、残りの対称部分がメス型ブロック（１）の上面の外側に伸びて、別の少なくとも２つのメス型ブロック（１）の内部に嵌め込まれ、従って、前記少なくとも２つのメス型ブロック（１）を固定的に接続することができる。
【００４３】  このロッキング構造システムではオス型部品が複数嵌め込まれることに加え、ブロック全体に対する窪みの比率により、オス型ブロック（２−５）の突出部に過度の力をかけることなく、連続して積み重ねるための強固な支持が得られ、従来のモジュラーシステムとは異なり、高さが増加した場合でも垂直安定性が保証される。
【００４４】  様々な建築用途に応じて異なる建築材料を使用することができるが、軽量材料により、本発明のブロックは道具、ねじ、および接着剤なしに、インテリアデザインを「ドゥ・イット・ユアセルフ」方式で容易に組み立てることができ、完全に動的に交換可能な方法で、モジュラー構造を簡単に組み立たり分解することが可能である。本発明は、あらゆる家庭、オフィス、庭または公共の建物で使用される壁、オープンスペースの間仕切り、棚、ベッド、テーブル、椅子などのほとんど全ての種類の家具を動的に制作する可能性を提供する。さらに、フローティングデバイスの構築も可能である。
【００４５】  本発明のビルディングブロックを得るために、いくつかの軽量材料を使用することができる。しかしながら、好ましくはコルクまたはコルクベースの材料を使用することによって、垂直に重ねた場合の望ましい強度および安定性に、さらに、コルクの汎用性と、防音性、断熱性、不透過性、軽さ、弾性、難燃性、抗菌性、審美性、簡単な洗浄などのコルクの周知の特性が付け加えることができる。
【００４６】  さらに、天然の長寿命、１００％リサイクル可能な原材料を利用することで、また、完全に多様な方法で好きな回数だけ組み合わせることのできるビルディングブロックにより、特に、内装や家具のデザインの分野で、持続可能な環境にやさしい建築物の作成方法を提供するものである。
【００４７】  本発明の７つのブロックを、簡単で動的かつ再生可能な方法で異なるように組み合わせることにより、あらゆる種類およびサイズの３次元構造を構築するための追加の工具または固定手段は必要とされない。
【符号の説明】
【００４８】  １‐メス型ブロック
２‐Ｉ字オス型ブロック
３‐Ｌ字オス型ブロック
４‐Ｔ字オス型ブロック
５‐十字オス型ブロック
６‐端子ブロック
７‐矩形窪み部
８‐矩形突出部
９‐ウェブ
１０‐終端部分
１１‐充填ブロック
【図１】
2017524848.tif 000003
【図２Ａ】
2017524848.tif 000004
【図２Ｂ】
2017524848.tif 000005
【図２Ｃ】
2017524848.tif 000006
【図２Ｄ】
2017524848.tif 000007
【図３】
2017524848.tif 000008
【図４】
2017524848.tif 000009
【図５Ａ】
2017524848.tif 000010
【図５Ｂ】
2017524848.tif 000011
【図５Ｃ】
2017524848.tif 000012
【図５Ｄ】
2017524848.tif 000013
【図５Ｅ】
2017524848.tif 000014
【図６Ａ】
2017524848.tif 000015
【図６Ｂ】
2017524848.tif 000016
【図６Ｃ】
2017524848.tif 000017
【図７Ａ】
2017524848.tif 000018
【図７Ｂ】
2017524848.tif 000019
【図７Ｃ】
2017524848.tif 000020
【図７Ｄ】
2017524848.tif 000021
【図７Ｅ】
2017524848.tif 000022
【図７Ｆ】
2017524848.tif 000023
【図７Ｇ】
2017524848.tif 000024
【国際調査報告】
2017524848.tif 000025
2017524848.tif 000026